【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
オンラインシステムの複数のユーザの各々に対しユーザ識別子と複数のパートナ識別子との間の関連付けを記憶する工程であって、各パートナ識別子は、パートナシステムから受信され、かつ、前記パートナシステムに対するブラウザを識別する、工程と、
前記オンラインシステムのユーザに広告を提示する機会の通知である第１の通知を広告交換部から受信する工程であって、前記第１の通知は、前記広告交換部によって前記オンラインシステムと、前記パートナシステムとに送られ、および、前記第１の通知は、前記ユーザにより現在使用されているブラウザを識別する第１のパートナ識別子を指定する、工程と、
前記第１のパートナ識別子が前記パートナシステムにおいて認識されないという通知を前記パートナシステムから受信する工程と、
前記パートナシステムからの前記通知に応答して、前記ユーザのユーザ識別子と複数のパートナ識別子との間の記憶された前記関連付けに基づいて、前記第１のパートナ識別子に関連付けられている前記ユーザの前記ユーザ識別子に関連付けられている代替パートナ識別子を選択する、代替パートナ識別子選択工程と、
前記オンラインシステムが、前記オンラインシステムのユーザに広告を提示する機会の通知である第２の通知を生成する工程であって、前記第２の通知は、前記代替パートナ識別子を含む、工程と、
前記第２の通知を前記パートナシステムに送る工程であって、前記パートナシステムは、前記代替パートナ識別子を使用して前記オンラインシステムのユーザに前記広告を提示するための入札を生成するように適応される、工程と
を備える方法。
【請求項２】
前記広告を提示する機会に対する入札であり入札値を含む入札を前記パートナシステムから受信する工程と、
受信された複数の入札値に基づいて前記広告を提示する機会を使用して広告コンテンツを提示するパートナシステムを選択するように構成されている前記広告交換部に前記入札値を送信する工程と
をさらに備える、請求項１に記載の方法。
【請求項３】
前記広告の提示機会を使用するための広告コンテンツのロケーションを指定する広告タ
グを前記パートナシステムから受信する工程と、
前記広告タグにより指定された前記ロケーションから前記広告コンテンツのコピーを取り出す工程と、
前記オンラインシステムに関連付けられているロケーションに前記広告コンテンツの前記コピーを記憶する工程と、
前記オンラインシステムに関連付けられている前記ロケーションを指定するように前記広告タグを修正する工程と、
修正された前記広告タグを前記広告交換部に送る工程と
をさらに備える、請求項２に記載の方法。
【請求項４】
前記代替パートナ識別子選択工程は、
前記ユーザの前記ユーザ識別子に関連付けられている前記複数のパートナ識別子の各々に対し入札期待値を決定する、入札期待値決定工程と、
前記入札期待値に基づいて前記代替パートナ識別子を選択する工程と
を備える、請求項１に記載の方法。
【請求項５】
前記入札期待値決定工程は、
複数のパートナ識別子に関連付けられている入札相対値を前記パートナシステムから受信する工程と、
受信された前記入札相対値に基づいて前記ユーザの前記ユーザ識別子に関連付けられている前記複数のパートナ識別子の各々に対し前記入札期待値を決定する工程と
を備える、請求項４に記載の方法。
【請求項６】
前記入札期待値決定工程は、
前記ユーザの前記ユーザ識別子に関連付けられている前記複数のパートナ識別子の各々に対し前記パートナシステムにより以前に付けられている入札値の分布を決定する工程と、
決定された前記分布に基づいて前記ユーザの前記ユーザ識別子に関連付けられているパートナ識別子に対し前記入札期待値を決定する工程と
を備える、請求項４に記載の方法。
【請求項７】
コンピュータプログラム命令を記憶している非一時的コンピュータ読取可能媒体であって、前記コンピュータプログラム命令は、
オンラインシステムの複数のユーザの各々に対しユーザ識別子と複数のパートナ識別子との間の関連付けを記憶する工程であって、各パートナ識別子は、パートナシステムから受信され、かつ、前記パートナシステムに対するブラウザを識別する、工程と、
前記オンラインシステムのユーザに広告を提示する機会の通知である第１の通知を広告交換部から受信する工程であって、前記第１の通知は、前記広告交換部によって前記オンラインシステムと、前記パートナシステムとに送られ、および、前記第１の通知は、前記ユーザにより現在使用されているブラウザを識別する第１のパートナ識別子を指定する、工程と、
前記第１のパートナ識別子が前記パートナシステムにおいて認識されないという通知を前記パートナシステムから受信する工程と、
前記パートナシステムからの前記通知に応答して、前記ユーザのユーザ識別子と複数のパートナ識別子との間の記憶された前記関連付けに基づいて、前記第１のパートナ識別子に関連付けられている前記ユーザの前記ユーザ識別子に関連付けられている代替パートナ識別子を選択する、代替パートナ識別子選択工程と、
前記オンラインシステムのユーザに広告を提示する機会の通知である第２の通知を生成する工程であって、前記第２の通知は、前記代替パートナ識別子を含む、工程と、
前記第２の通知を前記パートナシステムに送る工程であって、前記パートナシステムは
、前記代替パートナ識別子を使用して前記オンラインシステムのユーザに前記広告を提示するための入札を生成するように適応される、工程と
を行うように実行可能である、媒体。
【請求項８】
前記命令は、
前記広告を提示する機会に対する入札であり入札値を含む入札を前記パートナシステムから受信する工程と、
受信された複数の入札値に基づいて前記広告を提示する機会を使用して広告コンテンツを提示するパートナシステムを選択するように構成されている前記広告交換部に前記入札値を送信する工程と
を含む工程を行うようにさらに実行可能である、請求項７に記載の媒体。
【請求項９】
前記命令は、
前記広告の提示機会を使用するための広告コンテンツのロケーションを指定する広告タグを前記パートナシステムから受信する工程と、
前記広告タグにより指定された前記ロケーションから前記広告コンテンツのコピーを取り出す工程と、
前記オンラインシステムに関連付けられているロケーションに前記広告コンテンツの前記コピーを記憶する工程と、
前記オンラインシステムに関連付けられている前記ロケーションを指定するように前記広告タグを修正する工程と、
修正された前記広告タグを前記広告交換部に送る工程と
を含む工程を行うようにさらに実行可能である、請求項８に記載の媒体。
【請求項１０】
前記代替パートナ識別子選択工程は、
前記ユーザの前記ユーザ識別子に関連付けられている前記複数のパートナ識別子の各々に対し入札期待値を決定する、入札期待値決定工程と、
前記入札期待値に基づいて前記代替パートナ識別子を選択する工程と
を備える、請求項７に記載の媒体。
【請求項１１】
前記入札期待値決定工程は、
複数のパートナ識別子に対する入札相対値を前記パートナシステムから受信する工程と、
受信された前記入札相対値に基づいて前記ユーザの前記ユーザ識別子に関連付けられている前記複数のパートナ識別子の各々に対し前記入札期待値を決定する工程と
を備える、請求項１０に記載の媒体。
【請求項１２】
前記入札期待値決定工程は、
前記ユーザの前記ユーザ識別子に関連付けられている前記複数のパートナ識別子の各々に対し以前に前記パートナシステムから受信された分布入札値を決定する工程と、
決定された前記分布に基づいて前記ユーザの前記ユーザ識別子に関連付けられているパートナ識別子に対し前記入札期待値を決定する工程と
を備える、請求項１０に記載の媒体。